(57)【特許請求の範囲】
【請求項１】
情報の送受信を行う通信素子、及び受信した情報の書込みと送信すべき情報の読出しとが行われるメモリを備えた記録担体を取込み、外部から受付けた画像データに基づく画像を、取込んだ記録担体上に記録する画像記録装置において、
所定の搬送路に沿って前記記録担体を搬送する手段を備え、前記記録担体が備える通信素子と情報の送受信を行う通信手段を前記搬送路の複数箇所に設けてあり、
前記通信手段と前記通信素子との通信状態に基づいて前記記録担体の詰りを検出する検出手段と、該検出手段が前記記録担体の詰りを検出した場合、利用者の認証を行う手段と、該手段により利用者が認証された場合、前記記録担体が備えるメモリに書込まれている情報の送信を要求する手段と、該手段による要求に応じて前記記録担体から送信される情報を受信する手段と、受信した情報を報知する手段とを備え、
前記検出手段が前記記録担体の詰りを検出した場合、該記録担体が備えるメモリに書き込まれている情報を無効化する手段を更に備えることを特徴とする画像記録装置。
【請求項２】
前記搬送路を覆う開閉可能な開閉部と、前記検出手段が前記記録媒体の詰りを検出した場合、利用者の認証を行う手段と、該手段により利用者が認証された場合、前記開閉部の開閉を許可する手段とを備えることを特徴とする請求項１に記載の画像記録装置。
【請求項３】
前記通信手段と前記通信素子との通信状態に基づいて前記記録担体の前記搬送路における搬送位置を検出する手段を備えることを特徴とする請求項１又は請求項２に記載の画像記録装置。
【請求項４】
検出された搬送位置を報知する手段を備えることを特徴とする請求項３に記載の画像記録装置。
【発明の詳細な説明】
【技術分野】
【０００１】
本発明は、画像を記録する記録担体と通信を行う機能を有する画像記録装置に関する。
【背景技術】
【０００２】
従来、記録用紙にＩＣタグを備え、装置本体とＩＣタグとが無線通信を用いて情報通信を行い、記録用紙上の画像に関する管理制御を行うものが提案されている（例えば、特許文献１参照）。
【０００３】
この特許文献１で提案されているシステムは、記録用紙が給紙され画像の記録を行う前に装置本体と記録用紙上のＩＣタグとが通信を行い、装置本体から送信される画像データに関する情報をＩＣタグ内のメモリに書込む構成である。
【特許文献１】特開２００４−８２３４８号公報
【発明の開示】
【発明が解決しようとする課題】
【０００４】
しかしながら、このような構成においては、画像記録時にジャムが発生した場合、ＩＣタグ内に記憶された情報を消去することなくジャム紙として取扱われることから、ＩＣタグに書込まれた情報が漏洩する虞があるという問題点を有していた。
【０００５】
本発明は斯かる事情に鑑みてなされたものであり、通信素子を備える記録担体を所定の搬送路に沿って搬送する手段を備え、前記通信素子と通信を行う通信手段を搬送路の複数箇所に設ける構成とすることにより、搬送路の中途にて記録担体が詰まった場合であっても、その通信素子に記憶されている情報を無効化し、情報の漏洩を防止することができる画像記録装置を提供することを目的とする。
【課題を解決するための手段】
【０００８】
本発明に係る画像記録装置は、情報の送受信を行う通信素子、及び受信した情報の書込みと送信すべき情報の読出しとが行われるメモリを備えた記録担体を取込み、外部から受付けた画像データに基づく画像を、取込んだ記録担体上に記録する画像記録装置において、所定の搬送路に沿って前記記録担体を搬送する手段を備え、前記記録担体が備える通信素子と情報の送受信を行う通信手段を前記搬送路の複数箇所に設けてあり、前記通信手段と前記通信素子との通信状態に基づいて前記記録担体の詰りを検出する検出手段と、該検出手段が前記記録担体の詰りを検出した場合、利用者の認証を行う手段と、該手段により利用者が認証された場合、前記記録担体が備えるメモリに書込まれている情報の送信を要求する手段と、該手段による要求に応じて前記記録担体から送信される情報を受信する手段と、受信した情報を報知する手段とを備え、前記検出手段が前記記録担体の詰りを検出した場合、該記録担体が備えるメモリに書き込まれている情報を無効化する手段を更に備えることを特徴とする。
【０００９】
本発明にあっては、通信素子及びメモリを備えた記録担体を所定の搬送路に沿って搬送する手段を備え、前記通信素子と通信を行う通信手段を搬送路の複数箇所に設けているため、搬送路の中途にて記録担体が詰まった場合であっても、通信手段による記録担体上の通信素子との通信状態を調べることにより、詰まった記録担体の場所が特定される。
また、本発明にあっては、記録担体の詰りを検出した場合、利用者認証を行った上でメモリに書き込まれている情報を報知するようにしているため、情報の漏洩が防止される。
【００１３】
本発明にあっては、記録担体の詰りを検出した場合、メモリに書込まれている情報を無効化するため、情報の漏洩が防止される。
【００１６】
本発明に係る画像記録装置は、前記搬送路を覆う開閉可能な開閉部と、前記検出手段が前記記録媒体の詰りを検出した場合、利用者の認証を行う手段と、該手段により利用者が認証された場合、前記開閉部の開閉を許可する手段とを備えることを特徴とする。
【００１７】
本発明にあっては、記録担体の詰りを検出した場合、利用者認証を行った開閉部の開閉を許可するため、第三者が装置内部にアクセスすることを防止することができ、情報の漏洩が防止される。
【００１８】
本発明に係る画像記録装置は、前記通信手段と前記通信素子との通信状態に基づいて前記記録担体の前記搬送路における搬送位置を検出する手段を備えることを特徴とする。
【００１９】
本発明にあっては、通信手段と記録担体上の通信素子との通信状態に基づいて記録担体の搬送位置を検出するようにしているため、記録担体が詰まった場合、その場所が特定される。
【００２０】
本発明に係る画像記録装置は、検出された搬送位置を報知する手段を備えることを特徴とする。
【００２１】
本発明にあっては、通信手段と記録担体上の通信素子との通信状態に基づいて記録担体の搬送位置を検出し、検出した搬送位置を報知するようにしているため、記録担体が詰まった場合、その場所を特定して利用者に知らしめることができる。
【発明の効果】
【００２２】
本発明による場合は、通信素子を備える記録担体を所定の搬送路に沿って搬送する手段を備え、前記通信素子と通信を行う通信手段を搬送路の複数箇所に設けている。したがって、搬送路の中途にて記録担体が詰まった場合であっても、通信手段による記録担体上の通信素子との通信状態を調べることにより、詰まった記録担体の場所を特定することができる。
【００２３】
本発明による場合は、通信素子及びメモリを備えた記録担体を所定の搬送路に沿って搬送する手段を備え、前記通信素子と通信を行う通信手段を搬送路の複数箇所に設けている。したがって、搬送路の中途にて記録担体が詰まった場合であっても、通信手段による記録担体上の通信素子との通信状態を調べることにより、詰まった記録担体の場所を特定することができる。
【００２４】
本発明による場合は、通信手段と記録担体上の通信素子との通信状態より記録担体の詰りを検出することができる。特に、搬送路の複数箇所に設けた通信手段が搬送路の中途にて停滞している記録担体上の通信素子と通信可能であるか否かを調べることにより、詰まっている記録担体の場所を特定することができる。
【００２５】
本発明による場合は、記録担体の詰りを検出した場合、メモリに書込まれている情報を無効化するため、その記録担体が第三者によって持出された場合であっても、情報の抽出を困難にすることができ、セキュリティの向上を図ることができる。
【００２６】
本発明による場合は、記録担体の詰りを検出した場合、利用者認証を行った上でメモリに書込まれている情報を報知するようにしている。したがって、メモリに書込まれている情報を第三者が閲覧することが防止され、セキュリティの向上を図ることができる。
【００２７】
本発明による場合は、記録担体の詰りを検出した場合、利用者認証を行った開閉部の開閉を許可するため、第三者が装置内部にアクセスすることを防止することができ、情報の漏洩を防止することができる。
【００２８】
本発明による場合は、通信手段と記録担体上の通信素子との通信状態に基づいて記録担体の搬送位置を検出するようにしているため、記録担体が詰まった場合、その場所を特定することができる。
【００２９】
本発明による場合は、通信手段と記録担体上の通信素子との通信状態に基づいて記録担体の搬送位置を検出し、検出した搬送位置を報知するようにしているため、記録担体が詰まった場合、その場所を特定して利用者に知らしめることができる。
【発明を実施するための最良の形態】
【００３０】
以下、本発明をその実施の形態を示す図面に基づいて具体的に説明する。
図１は本実施の形態に係る画像記録装置の全体構成を示す構成図である。本実施の形態に係る画像記録装置は、モノクロコピー機能、カラーコピー機能、モノクロプリント機能、カラープリンタ機能、ファクシミリ機能などを有するデジタル複合機であり、スキャナユニット１、モノクロプリンタユニット３、カラープリンタユニット５、後処理ユニット７を備えている。
【００３１】
また、本実施の形態に係る画像記録装置は、ＩＣタグ（通信素子）を備えた用紙上に画像を記録するようにしている。また、画像記録装置は、このＩＣタグと通信を行うＲＦ−ＩＤリーダ／ライタＲＷを用紙搬送路の複数箇所に設置しており、ＩＣタグに対して適宜の情報を書き込めるようにしていると共に、ＩＣタグに書き込まれている情報を読出せるようにしている。これらのＲＦ−ＩＤリーダ／ライタＲＷ，…，ＲＷはジャムが発生し易い搬送ローラの近傍に設置されており、用紙の搬送中にジャムが発生した場合、ＲＦ−ＩＤリーダ／ライタＲＷとＩＣタグとの通信状況に基づいてジャムが発生した位置を特定できるようにしている。
【００３２】
図２はスキャナユニット１及びモノクロプリンタユニット３の構成を示す断面図である。スキャナユニット１は、光源ユニット１１、ミラーユニット１２、及びＣＣＤ読取ユニット１３を備えており、ガラス製の原稿台１４に載置された原稿から画像を光学的に読取る機能を有する。光源ユニット１１は、光源と、この光源が照射する読取用の照射光を原稿台１４の所定の読取り位置に集光する凹面のリフレクタと、原稿からの反射光のみを通過させるスリットと、スリットを通過した光の光路を９０度変換するために原稿台１４の面に対して反射面を４５度にして配置されたミラー等により構成されている。また、光源ユニット１１を原稿台１４の下面に沿って移動させるためのステッピングモータ（不図示）を備えており、光源ユニット１１を前記ステッピングモータにより移動させながら原稿台１４に載置された原稿の画像を読取るように構成されている。
【００３３】
ミラーユニット１２は、光源ユニット１１を経由した反射光をＣＣＤ読取ユニット１３へ折り返すために、反射面が相互に直交するように配置された一対のミラーを備えている。ＣＣＤ読取ユニット１３は、スキャナユニット１の所定位置に固定されており、ミラーユニット１２を経由した反射光を結像レンズによって光電変換素子上に結像させて、光信号を電気信号に変換させる。ここで、電気信号に変換されたアナログの画像信号はＡＤ変換器によりデジタル変換される。デジタル変換して得られた画像データは、モノクロプリンタユニット３又はカラープリンタユニット５へ転送される。
【００３４】
モノクロプリンタユニット３は、用紙（記録担体）上にモノクロ（黒）の画像を記録するプロセス部３０と、このプロセス部３０に対して用紙を供給する用紙供給部４０とを備えている。プロセス部３０は、その表面に画像が形成される感光体ドラム３１、感光体ドラム３１を帯電させる帯電器３２、帯電された感光体ドラム３１上に潜像を書込む露光装置３３、感光体ドラム３１上の潜像を現像する現像装置３４、現像されたトナー像を用紙上に転写するための転写装置３５、トナー像が転写された用紙に対して熱及び圧力を加えることによりトナー像を用紙上に定着させる定着装置３６等を備えており、用紙供給部４０から搬送される用紙上に画像の記録を行う。
【００３５】
また、モノクロプリンタユニット３の下方には、プロセス部３０に対して用紙を供給する用紙供給部４０が設置されており、複数種の用紙を収容するために複数の給紙カセット４１，４２，４３，４４を備えている。給紙カセット４１，４２は、例えば、Ａ４サイズの用紙を大量に収容することができる大容量給紙カセットであり、給紙カセット４３，４４は、各種のサイズの用紙を収容できる多目的給紙カセットである。給紙カセット４１〜４４に収容されている用紙は、用紙搬送路近傍に設けられたピックアップローラによって一枚ずつ分離給送される。また、プリンタユニット３の側面には手差給紙カセット４５が設置されており、給紙カセット４１〜４４に収容されていない種類の用紙を取込めるようにしている。
【００３６】
用紙カセット４１，４３，４４から供給される用紙は、用紙搬送路Ｓ１及びＳ３に沿って設けられた複数の搬送ローラによって用紙供給部４０上方（下流側）のプロセス部３０へ搬送される。用紙供給部４０から供給される用紙は、プロセス部３０のすぐ上流側に設けられたレジストローラ３７によって一時的に保持される。プロセス部３０では、感光体ドラム３１上のトナー像を用紙の適宜箇所に転写するために用紙の搬送を再開させるタイミングを調整する。プロセス部３０を搬送される用紙には、感光体ドラム３１と転写装置３５とによって形成される転写ニップを通過する際に感光体ドラム３１上のトナー像が転写され、定着装置３６を通過する際に転写されたトナー像が定着されて画像の記録が完成する。
【００３７】
用紙の両面に画像の記録を行わない場合、プロセス部３０にて画像が記録された用紙は、プロセス部３０上方（下流側）の用紙搬送路Ｓ４に沿って搬送され、排紙ローラ３８を通じて排紙トレイ３９へ排出される。また、用紙の両面に画像の記録を行う場合には、プロセス部３０で画像が記録された用紙を排紙ローラ３８によって一旦保持し、排紙ローラ３８を逆転駆動することにより保持した用紙を用紙搬送路Ｓ５及びＳ６へ導き、プロセス部３０を再度通過させて用紙の裏面側に画像の記録を行う。用紙の両面に画像が記録された用紙は用紙搬送路Ｓ４に沿って搬送され、排紙ローラ３８を通じて排紙トレイ３９へ排出される。なお、片面又は両面に画像が記録された用紙に対して後処理を施す必要がある場合には、用紙搬送路Ｓ５を通じてカラープリンタユニット５へ導き、カラープリンタユニット５経由で用紙を後処理ユニット７へ搬送させる。
【００３８】
図３はカラープリンタユニット５の構成を示す断面図である。カラープリンタユニット５は、用紙（記録担体）上にカラーの画像を記録するプロセス部５０と、このプロセス部５０に対して用紙を供給する用紙供給部６０とを備えている。プロセス部５０は、中間転写ベルト５１とシアン、マゼンタ、イエロ、ブラックの各色に対応したトナー像が生成される感光体ドラム５２Ｃ，５２Ｍ，５２Ｙ，５２Ｋとを備えている。各色に対応した感光体ドラム５２Ｃ，５２Ｍ，５２Ｙ，５２Ｋの周囲には、図に示していない帯電器、露光装置、現像装置などがそれぞれ配置されており、帯電器によって帯電させた感光体ドラム５２Ｃ，５２Ｍ，５２Ｙ，５２Ｋ上に露光装置が静電潜像を書込み、現像装置によって静電潜像を現像することにより各色のトナー像が生成される。
【００３９】
中間転写ベルト５１は、厚さ７５μｍ〜１２０μｍ程度のフィルムを用いて無端状に形成されており、その内側にて駆動ローラ５１ａ及び従動ローラ５１ｂにより張架されている。駆動ローラ５１ａは図に示していないモータの駆動力によって回転駆動し、中間転写ベルト５１を回転させるように構成されている。中間転写ベルト５１を挟んで感光体ドラム５２Ｃ，５２Ｍ，５２Ｙ，５２Ｋの各対向位置には中間転写ローラ５３Ｃ，５３Ｍ，５３Ｙ，５３Ｋが設けられている。中間転写ローラ５３Ｃ，５３Ｍ，５３Ｙ，５３Ｋには、トナー像を転写するための高電圧の転写バイアス、すなわち、トナーの帯電極性（−）とは逆極性（＋）の高電圧が印加される。感光体ドラム５２Ｃ，５２Ｍ，５２Ｙ，５２Ｋ上に生成されたトナー像は、これらの中間転写ローラ５３Ｃ，５３Ｍ，５３Ｙ，５３Ｋの作用により中間転写ベルト５１上に互いに重なり合うように順次的に転写され、多色トナー像が中間転写ベルト５１上に形成される。
【００４０】
中間転写ベルト５１の下側には転写装置５４が設けられている。転写装置５４は、中間転写ベルト５１を挟んで設置される第１の転写ローラ５４ａ及び第２の転写ローラ５４ｂ、並びに第２の転写ローラ５４ｂの対向位置であって用紙搬送路Ｓ１３を挟んで設置される第３の転写ローラ５４ｃを備えている。中間転写ベルト５１上に形成された多色トナー像は、第１の転写ローラ５４ａの作用によって第２の転写ローラ５４ｂへ転写される。また、第２の転写ローラ５４ｂに転写された多色トナー像は、第３の転写ローラ５４ｃの作用によって用紙搬送路Ｓ１３に沿って搬送される用紙上に転写される。
【００４１】
用紙供給部６０は、複数種の用紙を収容するために複数の給紙カセット６１，６２，６３，６４を備えている。給紙カセット６１，６２は、例えば、Ａ４サイズの用紙を大量に収容することができる大容量給紙カセットであり、給紙カセット６３，６４は、各種のサイズの用紙を収容できる多目的給紙カセットである。給紙カセット６１〜６４に収容されている用紙は、用紙搬送路近傍に設けられたピックアップローラによって一枚ずつ分離給送される。
【００４２】
用紙カセット６１から供給される用紙は、用紙搬送路Ｓ１１，Ｓ１３に沿って設けられた複数の搬送ローラにより用紙供給部６０上方のプロセス部５０へ搬送される。また、用紙カセット６２，６３，６４から供給される用紙は、用紙搬送路Ｓ１２，Ｓ１３に沿って設けられた複数の搬送ローラにより用紙供給部６０上方のプロセス部５０へ搬送される。用紙供給部６０から供給される用紙は、転写ローラ５４ｂ，５４ｃの上流側に設けられたレジストローラ５５によって一時的に保持される。プロセス部５０では、転写ローラ５４ｂの表面に転写される多色トナー像を用紙の適宜箇所に記録するために用紙の搬送を再開させるタイミングを調整する。用紙搬送路Ｓ１３を搬送される用紙には、２つの転写ローラ５４ｂ，５４ｃによって形成される転写ニップを通過する際に転写ローラ５４ｂ上の多色トナー像が転写され、図に示していない定着装置を通過する際に転写された多色トナー像が用紙上に定着されてカラー画像の記録が完成する。
【００４３】
用紙の両面にカラー画像の記録を行わない場合、プロセス部５０にてカラー画像が記録された用紙は用紙搬送路Ｓ１４に沿って搬送され、後処理ユニット７の排紙トレイ７４（図４参照）上に排出される。また、用紙の両面にカラー画像の記録を行う場合には、プロセス部５０でカラー画像が記録された用紙を用紙搬送路Ｓ１５へ導き、スイッチバックさせて用紙搬送路Ｓ１６へ導き、プロセス部５０を再度通過させて用紙の裏面側に画像の記録を行う。用紙の両面にカラー画像が記録された用紙は用紙搬送路Ｓ１４に沿って搬送され、後処理ユニット７の排紙トレイ７４上に排出される。なお、片面又は両面に画像が記録された用紙に対して後処理を施す場合にも用紙搬送路Ｓ１４を通じて後処理ユニット７へ用紙を導く。
【００４４】
また、カラープリンタユニット５は、モノクロプリンタユニット３から導かれる用紙を後処理ユニット７へ搬送するために、プロセス部５０の上方に設けられた用紙搬送路Ｓ１７を備えている。用紙搬送路Ｓ１７に沿って複数の搬送ローラが設けられており、これらの搬送ローラを回転駆動させることによって適宜の速度で用紙を搬送させる。用紙搬送ローラＳ１７は、その下流側で前述した用紙搬送路Ｓ１４に合流する。
【００４５】
図４は後処理ユニット７の構成を示す断面図である。後処理ユニット７としては、穿孔装置７１とステープル装置７２とを備えている。穿孔装置７１は、用紙搬送路Ｓ２１の上側に配設した穿孔ユニット７１０と下側に配設した台座ユニット７１２とを備えている。穿孔ユニット７１０の内部には、用紙に穿孔を施すための穿孔刃７１１設けられており、この穿孔刃７１１をモータなどの駆動源により鉛直方向に往復運動させることで用紙上の適宜箇所に穿孔を施すように構成されている。台座ユニット７１２には、穿孔刃７１１が下降したときに挿通されるパンチ孔７１３が設けられている。なお、穿孔刃７１１及びパンチ孔７１３は用紙搬送方向と交叉する方向に適宜の間隔を隔てて複数設けられている。また、穿孔刃７１１を鉛直方向に往復運動させる駆動源は穿孔処理を施すことが設定されている場合にのみ作動するように構成されている。
【００４６】
ステープル装置７２は、用紙搬送路Ｓ２２により搬送されてくる複数の用紙を積層するスタッカ７２１とスタッカ７２１に積層された複数の用紙に対して綴じ処理を施す綴じ処理ユニット７２２とを備えている。ステープル装置７２は、綴じ処理ユニット７２２を作動させることにより、スタッカ７２１に積層された用紙に対して綴じ処理を行い、複数の用紙を綴じた用紙束を排紙トレイ７３上に排出する。また、ステープル装置７２にて綴じ処理を行わない場合、後処理ユニット７に導かれた用紙は、用紙搬送路Ｓ２３に沿って搬送され、排紙トレイ７４上に排出される。
【００４７】
図５は本実施の形態に係る画像記録装置で使用される用紙の構成を説明する模式図である。図５（ａ）正面図、図５（ｂ）は断面図を示している。この画像記録装置で使用される用紙２００は、台紙２０１と台紙２０１上に貼られたラベルシート２０２とからなり、この台紙２０１とラベルシート２０２との間に通信素子として機能するＩＣタグ２１０が間挿されている。
【００４８】
図６はＩＣタグ２１０の模式的構成図である。ＩＣタグ２１０は、絶縁基板２１１、絶縁基板２１１上に導体パターン印刷によって形成されたアンテナ回路２１３、このアンテナ回路２１３に接続されたＩＣチップ２１２を備えている。ＩＣタグ２１０には、前述したＲＦ−ＩＤリーダ／ライタＲＷから発信される信号によってアンテナ回路２１３に電力が供給される。アンテナ回路２１３を通じて電力の供給を受けたＩＣチップ２１２は、内蔵のメモリ２１２ａに予め格納してある識別番号のデータに基づいて応答信号を生成し、生成した応答信号をアンテナ回路２１３を通じて外部へ発信させる。また、ＲＦ−ＩＤリーダ／ライタＲＷから送信されるデータの書込要求を受信した場合、ＩＣチップ２１２は受信したデータを内蔵のメモリ２１２ａに書込み、ＲＦ−ＩＤリーダ／ライタＲＷから送信されるデータの読出要求を受信した場合、ＩＣチップ２１２は内蔵のメモリ２１２ａから所望のデータを読出し、そのデータに基づいて発信信号を生成し、アンテナ回路２１３から生成した発信信号を発信する。
【００４９】
図７はＲＦ−ＩＤリーダ／ライタＲＷによるジャムの検出状況を説明する説明図である。前述したように、ＲＦ−ＩＤリーダ／ライタＲＷはジャムが発生し易い搬送ローラの近傍に設置されている。図７に示した如く、用紙搬送方向の下流側及び上流側に２つのＲＦ−ＩＤリーダ／ライタＲＷ，ＲＷが設置されている状況下で、上流側でジャムが発生したときに上流側のＲＦ−ＩＤリーダ／ライタＲＷとは通信可能であるが、下流側のＲＦ−ＩＤリーダ／ライタＲＷとは通信可能でない場合、ジャムの発生箇所は上流側のＲＦ−ＩＤリーダ／ライタＲＷの近傍であると特定することができる。
【００５０】
このようにしてジャムの発生箇所を特定した場合、利用者に対してジャムの発生箇所を報知し、利用者認証を行った上で装置の開放を許可し、ジャムを発生させた用紙２００を除去できるようにしている。また、利用者が認証された場合、ＩＣタグ２１０に記憶されているデータを上流側のＲＦ−ＩＤリーダ／ライタＲＷで読出し、画像記録装置の操作パネル１０５（図８参照）に表示することができるようにしている。一方、利用者が認証されない場合、ＩＣタグ２１０に内蔵されているメモリ２１２ａにゼロ又はランダム値を書き込むことによって、ＩＣタグ２１０に記憶されているデータを無効化する。
【００５１】
図８は画像記録装置の制御系の構成を示すブロック図である。画像記録装置はＣＰＵ１０１を備えており、このＣＰＵ１０１がＲＯＭ１０３に予め格納された制御プログラムをＲＡＭ１０４上にロードして実行することにより、バス１０２に接続されたハードウェアを制御し、全体として本発明に係る画像記録装置として動作させる。
【００５２】
以下、バス１０２に接続されている各種ハードウェアの構成について説明する。
操作パネル１０５は、利用者による操作を受付ける操作部１０５ａと、利用者に対して報知すべき情報を報知する表示部１０５ｂとにより構成されている。操作部１０５ａは、機能の切替操作、プリント処理における出力枚数、コピー処理における変倍、ファクシミリ送信処理における送信先などの設定を受付けるための各種操作キー、数値キー等を備えている。表示部１０５ｂは液晶ディスプレイ装置を備えており、装置全体の動作状況、操作部１０５ａから入力された設定値等を表示する。また、表示部１０５ｂの一部は利用者の押下操作により設定の選択を受付けるようにしたタッチパネル方式のソフトウェアキーを備えている。
【００５３】
スキャナユニット１は、前述したように光源ユニット１１、ミラーユニット１２、及びＣＣＤ読取ユニット１３を備えている。原稿台１４にセットされた原稿の画像をＣＣＤ読取ユニット１３の光電変換素子に結像させることにアナログ形式の画像信号を取得し、デジタル変換後の信号に対して原稿読取時の光源の配光特性、光電変換素子の感度ムラの補正等を施すことによりデジタル形式の画像データを生成する。
【００５４】
通信ＩＦ１０６は、ローカルエリアネットワーク等の所定の通信規格に準拠したインタフェースを備えており、外部コンピュータを接続できるようにしている。通信ＩＦ１０６では、接続された外部コンピュータからのプリントジョブを受信し、逆に、通知すべき情報を送信する。通信ＩＦ１０６ではこのような各種データの送受信の制御を行う。
【００５５】
ファクシミリモデム１０７は、外部ファクシミリ装置を接続するための回線終端回路を備えており、公衆電話回線網を介してファクシミリデータの送受信を行うことができるようにしている。そのため、ファクシミリモデム１０７は、受信したファクシミリデータを復号するための復号回路、送信すべきファクシミリデータを符号化するための符号化回路を備えている。ファクシミリモデム１０７は、このようなファクシミリデータの送受信、並びに符号化処理及び復号処理を実行する。
【００５６】
画像メモリ１０８は半導体メモリにより構成されており、原稿の画像を読取ることによりスキャナユニット１が生成した画像データ、通信ＩＦ１０６にて受信したプリントジョブを展開することにより得られる画像データ、及びファクシミリモデム１０７にて受信したファクシミリデータから展開される画像データを一時的に記憶する。画像メモリ１０８に一時的に記憶された画像データは、ＣＰＵ１０１の指示によりその利用目的に応じた転送先に転送される。
【００５７】
モノクロ画像の記録を行うプロセス部３０は、前述したように感光体ドラム３１、帯電器３２、露光装置３３、現像装置３４、転写装置３５、定着装置３６を備えており、画像メモリ１０８から転送される画像データに基づく画像を用紙供給部４０から供給される用紙上に記録する。また、カラー画像の記録を行うプロセス部５０は、シアン、マゼンタ、イエロ、ブラックの各色に対応したトナー像が生成される感光体ドラム５２Ｃ，５２Ｍ，５２Ｙ，５２Ｋを備えており、画像メモリ１０８から転送される画像データに基づく画像を用紙供給部６０から供給される用紙上に記録する。なお、画像メモリ１０８に一時的に格納された画像データをモノクロ画像の記録を行うプロセス部３０へ転送するか、又はカラー画像の記録を行うプロセス部５０へ転送するかについては、スキャナユニット１で取得する画像データの種類、受信したプリントジョブにより指定される事項等に基づいて決定される。
【００５８】
駆動制御部１１０には、給紙モータ１１１及び搬送モータ１１２が接続されている。給紙モータ１１１は、各給紙カセット４１〜４４，６１〜６４に収容されている用紙を１枚ずつ分離給送するピックアップローラの駆動源であり、搬送モータ１１２は、用紙搬送路Ｓ１〜Ｓ６，Ｓ１１〜Ｓ１７，Ｓ２１〜Ｓ２３に沿って配設されている搬送ローラの駆動源である。駆動制御部１１０は、ＣＰＵ１０１からの指示に従って駆動制御信号を生成し、生成した駆動制御信号を給紙モータ１１１又は搬送モータ１１２へ出力することにより、ピックアップローラ又は搬送ローラを回転させるように構成されている。
【００５９】
ＲＦ−ＩＤリーダ／ライタＲＷ，…，ＲＷは、ＩＣタグ２１０と通信を行うためのインタフェースであり、ＣＰＵ１０１からの指示に応じて発信信号を生成し、アンテナＡＮＴを通じて生成した発信信号をＩＣタグ２１０へ送信する。
【００６０】
また、画像記録装置は、装置内部へのアクセスを制限するために施錠装置１２２，１２４付きの開閉扉１２１，１２３を備えている。画像記録装置の電源が投入された場合、施錠装置１２２，１２４はそれぞれ開閉扉１２１，１２３を電子的に施錠し、ＣＰＵ１０１によって装置の開放が許可された場合に解錠するように構成されている。ＣＰＵ１０１は、用紙の搬送中にジャムが発生した場合、利用者認証を行い、利用者が認証されたときに装置の開放を許可するようにしている。
【００６１】
以下、画像記録時の動作について説明する。図９及び図１０は画像記録時に画像記録装置が実行する処理の手順を説明するフローチャートである。画像記録装置のＣＰＵ１０１は、スキャナユニット１にてコピーすべき原稿の画像を読取ったか、通信ＩＦ１０６にてプリントジョブを受信したか、又はファクシミリモデム１０７にてファクシミリデータを受信したかを判断することにより、出力指示があるか否かを判断する（ステップＳ１１）。出力指示がない場合（Ｓ１１：ＮＯ）、出力指示があるまで待機する。
【００６２】
出力指示があると判断した場合（Ｓ１１：ＹＥＳ）、ＣＰＵ１０１は、駆動制御部１１０を制御して給紙モータ１１１を回転駆動させることにより、予め設定されている給紙カセット又は利用者によって指定された給紙カセット（例えば、給紙カセット４１）から用紙２００の給送を開始する（ステップＳ１２）。そして、給紙カセットの近傍に設置されているＲＦ−ＩＤリーダ／ライタＲＷにより、搬送されてきた用紙２００が備えるＩＣタグ２１０に情報の書込みを行う（ステップＳ１３）。ここで、ＩＣタグ２１０に書込まれる情報は、用紙２００上に記録する画像に関する情報、利用者に関する情報等である。
【００６３】
次いで、ＣＰＵ１０１は、モノクロ画像を記録するプロセス部３０又はカラー画像を記録するプロセス部５０へ用紙２００を搬送する際にジャムが発生したか否かを判断する（ステップＳ１４）。ジャムが発生していないと判断した場合（Ｓ１４：ＮＯ）、ＣＰＵ１０１は、画像の記録が完了したか否かを判断する（ステップＳ１５）。画像の記録が完了していない場合（Ｓ１５：ＮＯ）、ＣＰＵ１０１は、処理をステップＳ１４へ戻す。
【００６４】
画像の記録が完了したと判断した場合（Ｓ１５：ＹＥＳ）、画像を記録した用紙２００を排出するまでの間にジャムが発生したか否かを判断する（ステップＳ１６）。ジャムが発生しない場合（Ｓ１６：ＮＯ）、予め設定されている排出先又は利用者によって指定された排出先（例えば、排紙トレイ３９）に画像を記録した用紙２００を排出する（ステップＳ１７）。
【００６５】
ステップＳ１４又はステップＳ１６でジャムが発生したと判断した場合（Ｓ１４，Ｓ１６：ＹＥＳ）、ジャムを起こした用紙２００が備えるＩＣタグ２１０から情報の読込みを行う（ステップＳ１８）。ここで、ＣＰＵ１０１は、ＲＦ−ＩＤリーダ／ライタＲＷを制御することにより、情報の送信要求をアンテナＡＮＴから発信させる。次いで、ＣＰＵ１０１は、情報の送信要求に対してＩＣタグ２１０から応答があるか否かを判断する（ステップＳ１９）。応答がないと判断した場合（Ｓ１９：ＮＯ）、ＣＰＵ１０１は、処理をステップＳ１８へ戻す。
【００６６】
応答があると判断した場合（Ｓ１９：ＹＥＳ）、ＣＰＵ１０１は、応答を受信したＲＦ−ＩＤリーダ／ライタＲＷの設置場所を特定することにより、ジャムが発生した位置を特定する（ステップＳ２０）。そして、ＣＰＵ１０１は、ジャムが発生した位置の情報を操作パネル１０５の表示部１０５ｂに表示する（ステップＳ２１）。図１１はジャムの発生位置を報知する際に表示する画面の一例を示す模式図である。この画面では、ジャムの発生位置を逆三角の図形により模式的に示しており、表示した図形を点滅表示することによって利用者に知らしめる構成としている。
【００６７】
次いで、ＣＰＵ１０１は、利用者認証を実行し（ステップＳ２２）、利用者を認証できるか否か判断する（ステップＳ２３）。利用者を認証できないと判断した場合（Ｓ２３：ＮＯ）、ＣＰＵ１０１は、ＩＣタグ２１０の内容を無効化する（ステップＳ２４）。具体的には、ＲＦ−ＩＤリーダ／ライタＲＷを通じてＩＣタグ２１０に特定のデータ又はランダムデータを書込むことを行う。そして、ＣＰＵ１０１は装置の開放を禁止する（ステップＳ２５）。
【００６８】
ステップＳ２３で利用者を認証できると判断した場合（Ｓ２３：ＹＥＳ）、ＩＣタグ２１０の内容を確認することが要求されているか否かを判断する（ステップＳ２６）。ＩＣタグ２１０の内容を確認することが要求されている場合（Ｓ２６：ＹＥＳ）、ＩＣタグ２１０の内容を操作パネル１０５の表示部１０５ｂに表示する（ステップＳ２７）。ステップＳ２７でＩＣタグ２１０の内容を表示した場合、又はステップＳ２６でＩＣタグ２１０の内容を確認する必要がないと判断した場合（Ｓ２６：ＮＯ）、ＣＰＵ１０１は、ＩＣタグ２１０の内容を無効化する（ステップＳ２８）。
【００６９】
その後、ＣＰＵ１０１は装置の開放を許可する（ステップＳ２９）。認証された利用者は開閉扉１２１，１２３を開くことにより装置内部にアクセスすることができ、ジャムを発生させた用紙２００を除去することができる。ＣＰＵ１０１は、ジャムを発生させた用紙２００が除去されたか否かを、ＲＦ−ＩＤリーダ／ライタＲＷを介してＩＣタグ２１０と通信を行うことにより判断し（ステップＳ３０）、用紙２００が除去されない場合（Ｓ３０：ＮＯ）、除去されるまで待機する。また、ジャムを発生させた用紙２００が除去され（Ｓ３０：ＹＥＳ）、開閉扉１２１，１２３が閉じられた場合、ＣＰＵ１０１は、処理をステップＳ１２へ戻し、用紙２００の供給を再開させて画像の記録を再度実行する。
【図面の簡単な説明】
【００７０】
【図１】本実施の形態に係る画像記録装置の全体構成を示す構成図である。
【図２】スキャナユニット及びモノクロプリンタユニットの構成を示す断面図である。
【図３】カラープリンタユニットの構成を示す断面図である。
【図４】後処理ユニットの構成を示す断面図である。
【図５】本実施の形態に係る画像記録装置で使用される用紙の構成を説明する模式図である。
【図６】ＩＣタグの模式的構成図である。
【図７】ＲＦ−ＩＤリーダ／ライタによるジャムの検出状況を説明する説明図である。
【図８】画像記録装置の制御系の構成を示すブロック図である。
【図９】画像記録時に画像記録装置が実行する処理の手順を説明するフローチャートである。
【図１０】画像記録時に画像記録装置が実行する処理の手順を説明するフローチャートである。
【図１１】ジャムの発生位置を報知する際に表示する画面の一例を示す模式図である。
【符号の説明】
【００７１】
３０  プロセス部
５０  プロセス部
１０１  ＣＰＵ
１０２  バス
１０３  ＲＯＭ
１０４  ＲＡＭ
１０５  操作パネル
１０６  通信ＩＦ
１０７  ファクシミリモデム
１０８  画像メモリ
１１０  駆動制御部
１１１  給紙モータ
１１２  搬送モータ
２００  用紙
２１０  ＩＣタグ
ＲＷ  ＲＦ−ＩＤリーダ／ライタ
ＡＮＴ  アンテナ
【図１】
0004671901.tif 000002
【図２】
0004671901.tif 000003
【図３】
0004671901.tif 000004
【図４】
0004671901.tif 000005
【図５】
0004671901.tif 000006
【図６】
0004671901.tif 000007
【図７】
0004671901.tif 000008
【図８】
0004671901.tif 000009
【図９】
0004671901.tif 000010
【図１０】
0004671901.tif 000011
【図１１】
0004671901.tif 000012